(57)【要約】【課題】利用者が視覚障害者であっても容易にアンテナ手段の位置を認識して無線媒体をかざすことができるようにする。【解決手段】アンテナユニット４１と、このアンテナユニット４１内に表面部４２ａを外部に露出させる状態で設けられ、無線媒体から無線送信される情報を受信するアンテナ部４２と、アンテナユニット４１の表面部に突設され、タッチされることによりアンテナ部４２の位置を識別させる突起部４７とを具備する。【選択図】      図３
2005011198.tif 000002
【特許請求の範囲】
【請求項１】
アンテナユニットと、
このアンテナユニット内に表面部を外部に露出させる状態で設けられ、無線媒体から無線送信される情報を受信するアンテナ手段と、
前記アンテナユニットの表面部に突設され、前記アンテナ手段の位置を識別させる識別手段と
を具備することを特徴するアンテナ装置。
【請求項２】
前記識別手段は前記アンテナ手段の表面部を囲むように突設されたことを特徴とする請求項１記載のアンテナ装置。
【請求項３】
前記識別手段は前記アンテナ手段の表面部又は前記アンテナ手段の近傍に突設されたことを特徴とする請求項１記載のアンテナ装置。
【請求項４】
前記識別手段は複数個の半球状の突起部によって構成されることを特徴とする請求項１乃至３の何れか一項に記載のアンテナ装置。
【請求項５】
アンテナユニットと、
このアンテナユニット内に表面部にを外部に露出させる状態で設けられ、無線媒体から無線送信される情報を受信するアンテナ手段と、
前記アンテナユニットの表面部又はアンテナユニット近傍に突設され、前記アンテナ手段の位置を識別させる識別手段と、
前記アンテナ手段が前記無線媒体から無線送信される改札情報を受信するのに基づいて改札する改札手段と
を具備することを特徴する自動改札装置。
【請求項６】
前記識別手段がタッチされるのに基づいて前記無線媒体を前記識別手段の内側にかざすようにという内容の音声案内をすることを特徴とする請求項２記載のアンテナ装置。
【発明の詳細な説明】
【０００１】
【発明の属する技術分野】
この発明は、たとえば非接触ＩＣカードから無線送信される情報を受信するアンテナ装置及び自動改札装置に関する。
【０００２】
【従来の技術】
近年、たとえば鉄道においては、集改札の省力化を目的として、駅の入場口あるいは出場口に自動改札装置を設け、利用客が所持する磁気乗車券（切符や定期券）を取り込んでチェックし、その結果によって駅構内への入退場を許可し、或いは規制するようになってきている。
【０００３】
また、いちいち乗車券を取り込むことなく、無線通信によって乗車券からの改札情報を受け取り、これにより改札の通過の許可あるいは阻止を決定するようにしたものも開発されている（例えば、特許文献１参照。）。
【０００４】
【特許文献１】
特開平７−７８２７６号公報
【発明が解決しようとする課題】
しかしながら、アンテナ部の表面は、ＩＣカードを接近、或いは接触させ易いように平滑に形成されている。
【０００５】
このため、利用者が視覚障害者である場合には、アンテナ部の表面を手で触れてもアンテナ部の位置を認知することが困難であり、ＩＣカードを正確にアンテナ部にかざすことができないという問題がある。
【０００６】
本発明は上記事情に着目してなされたもので、その目的とするところは、利用者が視覚障害者であっても容易にアンテナ手段の位置を認識して無線媒体をかざすことができるアンテナ装置及び自動改札装置を提供することを目的とする。
【０００７】
【課題を解決するための手段】
上記課題を解決するため、請求項１記載のものは、アンテナユニットと、このアンテナユニット内に表面部を外部に露出させる状態で設けられ、無線媒体から無線送信される情報を受信するアンテナ手段と、前記アンテナユニットの表面部に突設され前記アンテナ手段の位置を識別させる識別手段とを具備する。
【０００８】
請求項５記載のものは、アンテナユニットと、このアンテナユニット内に表面部を外部に露出させる状態で設けられ、無線媒体から無線送信される情報を受信するアンテナ手段と、前記アンテナユニットの表面部又はアンテナユニット近傍に突設され、前記アンテナ手段の位置を識別させる識別手段と、前記アンテナ手段が前記無線媒体から無線送信される改札情報を受信するのに基づいて改札する改札手段とを具備する。
【０００９】
【発明の実施の形態】
以下、本発明を図面に示す実施の形態を参照して詳細に説明する。
【００１０】
図１は、本発明の一実施の形態である自動改札装置を示す外観斜視図である。
【００１１】
この自動改札装置は装置本体１を有している。この装置本体１の一端側の上面部には、磁気乗車券、たとえば有効期間や利用区間などの改札情報が磁気エンコード記録された定期券（以下、磁気定期券という）が投入される投入口２、他端側の上面部には、投入口２より取り込んだ磁気定期券を排出する排出口３がそれぞれ設けられている。
【００１２】
また、投入口２の先には、無線乗車券、たとえば有効期間や利用区間などの改札情報を無線通信により送信する無線媒体としての定期券（以下、無線定期券という）からの改札情報を受信するアンテナ装置５が設けられている。排出口３の先には利用客の通過の可否などを表示する旅客案内部６が設けられている。
【００１３】
装置本体１の両端側の内面部には利用客（定期券所持者）の通過を許可し、或いは規制するための改札手段としてのドア部７が開閉自在に設けられている。装置本体１の上面部には略コ字状をなすフレーム部９が設けられ、このフレーム部９には利用客の通過を検知する人間検知センサ１０が配設されている。
【００１４】
図２は、自動改札装置の内部構成を概略的に示すものである。
【００１５】
装置本体１内には投入口２と排出口３とを連絡する搬送路１２が形成されている。投入口２には、開閉シャッタ２ａ及び磁気定期券１３を受け入れたことを検知する検知器１５が設けられ、排出口３には磁気定期券１３を排出したことを検知する検知器１６が設けられている。
【００１６】
搬送路１２中には、投入口２から排出口３に向かって、磁気定期券１３に記録されている磁気情報としての改札情報などを読み取る磁気情報読取部（磁気ヘッド）２４，２６、および磁気定期券１３に対して磁気情報を記録する磁気情報記録部（磁気ヘッド）２８，３０が配設されている。
【００１７】
磁気情報読取部２４，２６および磁気情報記録部２８，３０には、それぞれ支持部材（回転ローラ）３２，３３，３４，３５が対向配置されている。
【００１８】
また、搬送路１２中には、搬送される磁気定期券１３の通過を検知する検知器３６，３８が設けられている。更に、装置本体１の内部にはコントローラ３９、搬送用モータ４０が配設されている。
【００１９】
上記した構成において、投入口１４から磁気定期券１３が投入されると、一定の速度にて搬送路１２に沿って排出口３の方向に向けて搬送される。この搬送される磁気定期券１３は、磁気情報読取部２４，２６のいずれかによって改札情報が読み取られ、通過の可否の判定に供される。たとえば、磁気定期券１３の使用が正当であると判定された場合には、磁気情報記録部２８，３０のいずれかによって磁気定期券１３の磁気記録部に必要な情報を書き込んだり、ドア部７を開放させるなどの改札業務を行う。
【００２０】
そして、先行する磁気定期券１３の排出をまって、磁気定期券１３を排出口３より排出して通過の許可された利用客に返却した後、ドア部７を閉じてつぎの改札に備える。
【００２１】
一方、アンテナ装置５に無線定期券がかざされると、その改札情報がアンテナ装置５により読み取られる。この読み取られた改札情報により、たとえば無線定期券の使用が正当であると判定された場合には、アンテナ装置５によって無線定期券に必要な情報を記憶させたり、ドア部７を開放させるなどの改札業務を行う。そして、アンテナ装置５の位置から無線定期券が外れて所定時間経過後にドア部７を閉じてつぎの改札に備える。
【００２２】
次に、上記したアンテナ装置５について説明する。
【００２３】
図３はアンテナ装置５を示す平面図で、図４はその側面図である。
【００２４】
アンテナ装置５はアンテナユニットケース４１を有し、このアンテナユニットケース４１には傾斜面部４１ａが形成されている。アンテナユニットケース４１内には無線定期券との間で無線通信を行うための送受信用の楕円形状の無線アンテナ部４２が設けられ、その表面部４２ａはアンテナユニットケース４１の傾斜面部４１ａから外部に露出され、傾斜面４１ａに対し面一の状態となっている。
【００２５】
無線アンテナ部４２の前方には無線定期券からの改札情報の読み取りの可否を示す表示部４４が設けられているとともに、無線アンテナ部４２の位置を音声で案内するスピーカ４５が内蔵されている。
【００２６】
また、このアンテナユニットケース４１の傾斜面部４１ａの表面には無線アンテナ部４２の外周部を囲むように識別手段としての複数個の突起部４７が楕円状に配設されている。
【００２７】
突起部４７は図５に示すように半球形状に形成されている。突起部４７にはタッチセンサ４９が接続され、タッチセンサ４９には信号回路を介してスピーカ（音声案内手段）４５が接続されている。
【００２８】
タッチセンサ４９は突起部４７に対する通行者のタッチを検知するもので、スピーカ４５はタッチセンサ４９の検知信号に基づいてアンテナ部４２の位置を音声案内、例えば、「突起部４７の内側（内側領域）に無線定期券をかざして下さい」等の音声案内が行われる。
【００２９】
上記した構成において、利用客の手がアンテナユニットケース４１の傾斜面部４１ａの複数個の突起部４７に触れることにより、アンテナ部４２の位置を触覚的に識別できるとともに、このとき、スピーカ４５から「突起部４７の内側に無線定期券をかざして下さい」等の音声案内が行われる。
【００３０】
このように、アンテナ部４２の位置を触覚により、また、音声案内により識別できるため、利用客が視覚障害者であっても容易、確実にアンテナ部４２の位置を識別でき、スムーズな改札が可能となる。
【００３１】
図６は、本発明の第２の実施の形態であるアンテナ装置を示すものである。
【００３２】
なお、第１の実施の形態で示した部分と同一部分については同一番号を付してその説明を省略する。
【００３３】
この実施の形態では、アンテナ部４２の表面に識別手段としての複数個の突起部５１が突設されている。この突起部５１に利用客の手が触れることにより、アンテナ部４２の位置を触覚的に識別できるとともに、このときには、スピーカ４５から「この突起部５１の位置に無線定期券をかざして下さい」との音声案内が行われる。
【００３４】
この実施の形態によっても上記実施の形態と同様の作用効果を得ることができる。
【００３５】
図７は、本発明の第３の実施の形態であるアンテナ装置を示すものである。
【００３６】
第１の実施の形態で示した部分と同一部分については同一番号を付してその説明を省略する。
【００３７】
この実施の形態では、アンテナユニットケース４１の傾斜面部４１ａにアンテナ部４２の近傍通行方向（図７中矢印Ｘ方向）の手前に位置して複数個の突起部５５が突設されている。この突起部５５に利用客の手が触れることにより、アンテナ部４２の位置を触覚的に識別できるとともに、このときには、スピーカ４５から「突起部５５の前方に無線定期券をかざして下さい」との音声案内が行われる。
【００３８】
この実施の形態によっても上記実施の形態と同様の作用効果を得ることができる。
【００３９】
図８は、本発明の第４の実施の形態であるアンテナ装置を示すものである。
【００４０】
第１の実施の形態で示した部分と同一部分については同一番号を付してその説明を省略する。
【００４１】
この実施の形態では、アンテナユニットケース４１の傾斜面部４１ａにアンテナ部４２の外周部に沿って連続する突起部６１が突設されている。この突起部６１に利用客の手が触れることにより、アンテナ部４２の位置を触覚的に識別できるとともに、このときには、スピーカ４５から「突起部６１の内側に無線定期券をかざして下さい」との音声案内が行われる。
【００４２】
この実施の形態によっても上記実施の形態と同様の作用効果を得うことができる
その他、この発明は、上記の要旨を変更しない範囲において、種々変形実施可能なことは言うまでもない。
【００４３】
【発明の効果】
本発明は以上説明したように、アンテナユニットの表面部にアンテナ手段の位置を識別させる識別手段を突設するため、アンテナ手段の位置を触覚により識別できる。
【００４４】
従って、利用客が視覚障害者であっても容易、確実にアンテナ手段の位置を識別でき、自動改札装置に適用した場合にはスムーズな改札が可能となる。
【図面の簡単な説明】
【図１】本発明の一実施の形態である自動改札装置を示す斜視図。
【図２】同自動改札装置の内部構成を示す図。
【図３】同自動改札装置に用いられるアンテナ装置を示す平面図。
【図４】同アンテナ装置を示す側面図。
【図５】同アンテナ装置に設けられる識別用の突起部を示す側面図。
【図６】本発明の第２の実施形態であるアンテナ装置を示す平面図。
【図７】本発明の第３の実施形態であるアンテナ装置を示す平面図。
【図８】本発明の第４の実施形態であるアンテナ装置を示す平面図。
【符号の説明】
５…アンテナ装置（アンテナ手段）、７…改札手段（ドア部）、４１…アンテナユニット、４５…スピーカ、４７，５１，５５，６１…突起部（識別手段）。
【図１】
2005011198.tif 000003
【図２】
2005011198.tif 000004
【図３】
2005011198.tif 000005
【図４】
2005011198.tif 000006
【図５】
2005011198.tif 000007
【図６】
2005011198.tif 000008
【図７】
2005011198.tif 000009
【図８】
2005011198.tif 000010